(57)【特許請求の範囲】
【請求項１】
組版端末と、
この組版端末により作成された紙面を構成する紙面データを紙面データファイルに蓄積する組版・編集サーバと、
を備えた新聞制作システムにおいて、
前記組版・編集サーバは、
前記紙面データファイルに蓄積された所要紙面の素材を、転送元の紙面から転送先の紙面へ複写し、または振り替える複写振替指示とともに、この複写振替処理を自動的に実行させるための自動転送指示が前記組版端末から入力されたときに、その複写振替指示による転送元および転送先をレコードとして記録する自動転送登録テーブル記録手段と、
前記レコードの記録が終了した後に、複写振替指示による転送先と、前記記録された各レコードの転送元とが一致するか否かを判断し、一致する場合は、当該複写振替指示による素材を当該一致するレコードの転送先の紙面へ自動的に複写し、または振り替える素材複写振替処理手段とを、具備していることを特徴とする新聞制作システム。
【請求項２】
前記レコードの記録が終了した後に、前記紙面データファイルに蓄積された所要の紙面に素材が搬入されたときに、その搬入指示に従ってこの素材を所定紙面に搬入する一方、この搬入先と、前記自動転送登録テーブルに記録された各レコードの転送元とが一致するか否かを判断し、一致する場合は、当該搬入指示による素材を当該一致するレコードの転送先の紙面に自動的に複写し、または振り替える素材搬入処理手段を、具備していることを特徴とする請求項１に記載の新聞制作システム。
【請求項３】
組版端末により作成された紙面を構成する紙面データを紙面データファイルに蓄積する組版・編集ステップと、
前記紙面データファイルに蓄積された所要紙面の素材を、転送元の紙面から転送先の紙面へ複写し、または振り替える複写振替指示とともに、この複写振替処理を自動的に実行させるための自動転送指示が前記組版端末から入力されたときに、その複写振替指示による転送元および転送先をレコードとして記録する自動転送登録テーブル記録ステップと、
前記レコードの記録が終了した後に、複写振替指示による転送先と、前記記録された各レコードの転送元とが一致するか否かを判断し、一致する場合は、当該複写振替指示による素材を当該一致するレコードの転送先の紙面へ自動的に複写し、または振り替える素材複写振替処理ステップとを、具備していることを特徴とする新聞制作方法。
【請求項４】
前記レコードの記録が終了した後に、前記紙面データファイルに蓄積された所要の紙面に素材が搬入されたときに、その搬入指示に従ってこの素材を所定紙面に搬入する一方、この搬入先と、前記自動転送登録テーブルに記録された各レコードの転送元とが一致するか否かを判断し、一致する場合は、当該搬入指示による素材を当該一致するレコードの転送先の紙面に自動的に複写し、または振り替える素材搬入処理ステップを、具備していることを特徴とする請求項３に記載の新聞制作方法。
【発明の詳細な説明】
【０００１】
【発明の属する技術分野】
本発明は新聞を制作する新聞制作システムおよびその方法に係り、特に、新聞の所要紙面に掲載される記事や画像等の紙面を構成する素材を他の紙面に自動的に複写し、または振り替える機能を有する新聞制作システムおよびその方法に関する。
【０００２】
【従来の技術】
図７は従来の新聞制作システム１の構成の一例を示すブロック図である。この図に示すように、新聞制作システム１は記事入力／校正端末２，画像入力／加工端末３および組版端末４の各種端末と、記事サーバ５，画像サーバ６，組版・編集サーバ７および出力サーバ８の各種サーバと、紙面データファイル９と、プリンタ／プロッタ１０とを具備している。
【０００３】
上記記事入力／校正端末２は、そのオペレータの入力操作または校正操作により新聞記事のテキストデータの入力や、その入力した記事に対する校正を行なうためのものである。
【０００４】
画像入力／加工端末３は、新聞紙面に掲載する写真等の画像の入力や、その入力した画像を加工するものである。画像としてはカラー画像とそのモノクロ化画像と単なるモノクロ画像等がある。
【０００５】
組版端末４は、そのオペレータの操作により新聞紙面に掲載する記事や画像等について紙面上の割付け等のレイアウトを設定するレイアウト処理を行なうものである。また、この組版端末４も上記記事入力／校正端末２と同様の校正機能を有している。
【０００６】
記事サーバ５は、記事入力／校正端末２からの記事テキストデータや、図示しないネットワークを介して外部から送信されてくる記事テキストデータを蓄積するものである。
【０００７】
記事サーバ５に蓄積されたデータは、オペレータの指示により組版・編集サーバ７に送信することが可能であるが、この記事サーバ５は自動送信機能を備えており、この自動送信機能によっても蓄積した記事データを組版・編集サーバ７に送信することが可能である。
【０００８】
同様に、画像サーバ６は、画像入力／加工端末器３からの画像データや、ネットワークを介して外部から送られてくる画像データを蓄積し、この蓄積データをオペレータの指示または自動送信機能に基づいて組版・編集サーバ７に送信することが可能になっている。
【０００９】
組版・編集サーバ７は、記事サーバ５および画像サーバ６からの各種データを蓄積し、組版端末４を介したオペレータからの要求（指示）に応答してこの蓄積組版データを組版端末４に送信するようになっている。組版端末４では、組版・編集サーバ７から送られてくるデータを用いて紙面上に記事や画像等の紙面素材を割り付けるためのレイアウト処理が行なわれるが、このレイアウト処理により構成された紙面データは組版・編集サーバ７の紙面データファイル９に紙面毎に蓄積されるようになっている。
【００１０】
この紙面データファイル９に蓄積された紙面データは、組版端末４から組版・編集サーバ７に送信された大刷・版下指示により出力サーバ８へ送られ、蓄積されるようになっている。出力サーバ８は、組版・編集サーバ７からの組版データを編集してこれらをドットデータに展開する。プリンタ／プロッタ１０は、この展開されたドットデータを用いて大刷や版下を出力する。なお、その版下出力時は、組版端末４からの指定に基づき、例えば、Ｃ（シアン）版、Ｍ（マジエンタ）版、Ｙ（イエロー）版、Ｋ（ブラック）版等の色版の出力や、モノクロ版のみの出力、あるいはＣ版、Ｍ版、Ｙ版、Ｋ版およびモノクロ版の同時出力を行なえるようになっている。
【００１１】
【発明が解決しようとする課題】
ところで、一般に新聞紙面には、首都圏向け等の中央版（紙面）と、複数の地方（地域）版とがあり、これら地方版には共通に掲載される記事や画像等の素材がある。これら共通素材は掲載される全ての紙面について送信先を指示することが運用上煩雑であるために代表の紙面のみに送信される。
【００１２】
そして、これらの紙面素材については、その掲載対象となる全ての紙面に対して複写や振替の手動操作を組版端末４により行なうことにより、全ての掲載対象紙面に配分するように運用している。
【００１３】
この複写振替の手動操作は、通常、紙面に掲載すべき素材が全て揃ったと判断したときのタイミングで実行されている。
【００１４】
しかしながら、実際の新聞紙面の作成においては、上記素材の複写振替の手動操作後に、素材を複写振替すべき代表紙面に、別の素材が追加搬入された場合、その追加分の素材については再び同様の複写振替の手動操作を繰り返し実行しなければ、その追加素材が他の紙面全てに配分されないという課題があり、その複写振替の手動操作が煩雑である。
【００１５】
本発明はこのような事情を考慮してなされたもので、その目的は、一度所要の紙面の素材を他の紙面に複写振替する指示を設定した場合には、その複写振替指示以後、その所要紙面に配分（搬入）された全ての追加素材を、その複写振替指示に従ってさらに他の紙面に自動的に複写振替して配分することができる新聞制作システムおよびその方法を提供することにある。
【００１６】
【課題を解決するための手段】
本発明は上記課題を解決するためになされたものであり、請求項１に係る発明は、組版端末と、この組版端末により作成された紙面を構成する紙面データを紙面データファイルに蓄積する組版・編集サーバと、を備えた新聞制作システムにおいて、前記組版・編集サーバは、前記紙面データファイルに蓄積された所要紙面の素材を、転送元の紙面から転送先の紙面へ複写し、または振り替える複写振替指示とともに、この複写振替処理を自動的に実行させるための自動転送指示が前記組版端末から入力されたときに、その複写振替指示による転送元および転送先をレコードとして記録する自動転送登録テーブル記録手段と、前記レコードの記録が終了した後に、複写振替指示による転送先と、前記記録された各レコードの転送元とが一致するか否かを判断し、一致する場合は、当該複写振替指示による素材を当該一致するレコードの転送先の紙面へ自動的に複写し、または振り替える素材複写振替処理手段とを、具備していることを特徴とする新聞制作システムである。
【００１７】
なお、ここで素材とは紙面に掲載される記事や画像等紙面を構成する素材である。また、素材の振替とは、所要の紙面に掲載される素材を、他の紙面に移動し、その振替元の素材を残さない配分方法であり、複写とは、その複写元に素材を残す配分方法をいう。
【００１８】
請求項２に係る発明は、前記レコードの記録が終了した後に、前記紙面データファイルに蓄積された所要の紙面に素材が搬入されたときに、その搬入指示に従ってこの素材を所定紙面に搬入する一方、この搬入先と、前記自動転送登録テーブルに記録された各レコードの転送元とが一致するか否かを判断し、一致する場合は、当該搬入指示による素材を当該一致するレコードの転送先の紙面に自動的に複写し、または振り替える素材搬入処理手段を、具備していることを特徴とする請求項１に記載の新聞制作システムである。
【００２１】
請求項３に係る発明は、組版端末により作成された紙面を構成する紙面データを紙面データファイルに蓄積する組版・編集ステップと、前記紙面データファイルに蓄積された所要紙面の素材を、転送元の紙面から転送先の紙面へ複写し、または振り替える複写振替指示とともに、この複写振替処理を自動的に実行させるための自動転送指示が前記組版端末から入力されたときに、その複写振替指示による転送元および転送先をレコードとして記録する自動転送登録テーブル記録ステップと、前記レコードの記録が終了した後に、複写振替指示による転送先と、前記記録された各レコードの転送元とが一致するか否かを判断し、一致する場合は、当該複写振替指示による素材を当該一致するレコードの転送先の紙面へ自動的に複写し、または振り替える素材複写振替処理ステップとを、具備していることを特徴とする新聞制作方法である。
【００２２】
請求項４に係る発明は、前記レコードの記録が終了した後に、前記紙面データファイルに蓄積された所要の紙面に素材が搬入されたときに、その搬入指示に従ってこの素材を所定紙面に搬入する一方、この搬入先と、前記自動転送登録テーブルに記録された各レコードの転送元とが一致するか否かを判断し、一致する場合は、当該搬入指示による素材を当該一致するレコードの転送先の紙面に自動的に複写し、または振り替える素材搬入処理ステップを、具備していることを特徴とする請求項３に記載の新聞制作方法である。
【００２３】
【発明の実施の形態】
以下、本発明の実施形態を図１〜図６に基づいて説明する。これらの図中、同一または相当部分には同一符号を付している。
【００２４】
図１は本発明の第１実施形態に係る新聞制作システム１１の要部の構成を示すブロック図である。この図１に示すように新聞制作システム１１は、組版・編集サーバ７０に、素材複写振替処理手段７１、素材搬入処理手段７２および自動転送登録テーブル記録手段７３を設け、これ以外の構成は上記図７で示す従来の新聞制作システム１とほぼ同様に構成され、各端末と各サーバ等を備えている。
【００２５】
すなわち、本実施形態に係る新聞制作システム１１は、図１で示す組版端末４、上記組版・編集サーバ７０および紙面データファイル９を備えると共に、図１で示す記事入力／校正端末２、画像入力／加工端末３、記事サーバ５、画像サーバ６、出力サーバ８およびプリンタ／プロッタ１０を具備している。
【００２６】
組版・編集サーバ７０は上述した従来の組版・編集サーバ７と同様に記事サーバ５および画像サーバ６からの各データを蓄積し、組版端末４を介したオペレータからのデータを蓄積し、組版端末４を介したオペレータからの要求に応答してこの蓄積データを組版端末に送信する機能と、組版端末４のレイアウト処理により構成された複数の紙面を形成する紙面データを紙面毎（第１の紙面＃１，第２の紙面＃２…第ｎ紙面＃ｎ）に紙面データファイル９に蓄積する機能と、を有する。
【００２７】
そして、組版・編集サーバ７０に設けた上記素材複写振替処理手段７１は組版端末４から素材の複写または振替を指示するコマンドの入力を契機として素材の複写振替処理を自動的に実行するものである。また、素材搬入処理手段７２は記事サーバ２または図示しないネットワークから記事等の素材とその素材の搬入先の紙面を示す情報との搬入を受け付けたときに、その素材を指示された他の紙面に搬入すると共に、その素材搬入を契機として素材の複写振替処理を自動的に実行するものである。
【００２８】
図２および図３は上記紙面データファイル９に蓄積されている例えば第１の紙面＃１の紙面データ９１の構成例を示す説明図である。この図２中、符号９１ＫＮ，９１ＭＮ，９１ＨＮ……９１０５ＢＤ等は単に以下の説明の便宜上付したものである。
【００２９】
すなわち、第１の紙面＃１の紙面データファイル９１は、第１の紙面＃１の掲載年月日９１ＫＮ，紙面名９１ＭＮ，組方向や段数等の体裁情報９１ＴＳ等の管理情報と、所要の複数の記事ａ，ｂ，ｃや画像ｄ，ｅの第１，２，３，４，５の素材情報９１０１，９１０２，９１０３，９１０４，９１０５とを備えている。ここで素材とは、記事，写真や図形，見出し，地紋見出し等の画像等、新聞紙面を構成するための要素をいう。
【００３０】
記事ａ，ｂ，ｃの第１〜第３素材情報９１０１〜９１０３としては、その記事を特定するための識別情報である素材ＩＤ９１０１ＩＤ，９１０２ＩＤ，９１０３ＩＤや、配置情報９１０１ＬＴ，９１０２ＬＴ，９１０３ＬＴのほかに、図３に示すように記事ａ，ｂ，ｃ自体の記事テキスト９１０１ＴＸ，９１０２ＴＸ，９１０３ＴＸ、記事ａ，ｂ，ｃのレイアウト済のテキスト９１０１ＬＸ，９１０２ＬＸ，９１０３ＬＸ等も蓄積している。
【００３１】
また、画像ｄ，ｅについては、その画像を特定するためのＩＤ情報である素材ＩＤ９１０４ＩＤ，９１０５ＩＤ、表示画や実画像のデータの格納先を示す格納情報９１０４ＡＤ，同ＢＤ，９１０５ＡＤ，同ＢＤ等画像管理情報を蓄積している。
【００３２】
そして、上記素材複写振替処理手段７１は、紙面データファイル９に蓄積されている所要の紙面に掲載される素材を、他の紙面へ複写し、または振り替える複写振替処理が組版端末４の手動操作により実行され、しかも、その複写振替操作を自動化する指示が入力されたときに、その手動操作により実行された複写振替処理を自動転送登録テーブル記録手段７３に記録し、その指示以後、所要の紙面に搬入された素材を、その自動転送登録テーブルの複写振替指示に従って所定の紙面に自動的に複写振替（すなわち自動転送）するものである。
【００３３】
図５はこの素材複写振替処理手段７１の素材複写振替処理プログラムのフローチャートを示しており、図中Ｓ１〜Ｓ１０はフローチャートの各ステップを示す。
【００３４】
すなわち、素材複写振替処理手段７１は、その素材複写振替処理手段７１を起動（ＳＴＡＲＴ）させると、まずＳ１で、組版端末４から複写振替処理を指示するコマンドが入力されたか否かをループ処理により繰り返し判断する。
【００３５】
Ｓ１で、この複写振替指示コマンドが入力されたと判断したときは、Ｓ２で、その複写振替指示コマンドにより指示された所要の紙面の素材の複写振替処理を実行する。
【００３６】
すなわち、素材複写振替処理手段７１は、複写振替指示コマンドにより指示された所要の紙面の素材を紙面データファイル９から読み出し、このコマンドにより指示された他の紙面に複写し、または振り替える。この複写振替処理は、その指示された全ての素材と紙面に対して実行される。
【００３７】
次のＳ３では、この複写振替指示コマンドが自動転送指示を備えているか否か、すなわち複写振替処理を自動的に実行するための自動化が設定されているか否かを判断し、ＮｏのときはＳ５へジャンプする一方、ＹｅｓのときはＳ４へ進む。
【００３８】
Ｓ４では、上記Ｓ２で組版端末４の手動操作により実行された複写振替処理に基づいて自動転送登録テーブル７３ａを作成する。この自動転送登録テーブル７３ａはＲＡＭ等の記録手段７３に記録されている。
【００３９】
すなわち、Ｓ４では、複写振替指示コマンドにより指示された所要の紙面の素材とその転送元の紙面とを記録する一方、同じく複写振替指示コマンドにより指示された紙面（掲載年月日により特定される面版）を転送先として自動転送登録テーブル記録手段７３に登録（記録）し、自動転送登録テーブル７３ａを作成する。
【００４０】
図４はこの自動転送テーブル７３ａの構成例を示している。この図４中、符号７３０１ＫＢ，７３０１ＦＲ，…，７３０３ＴＯは単に以下の説明の便宜上付したものに過ぎない。
【００４１】
この自動転送テーブル７３ａは第１，第２，第３〜第ｎレコード７３０１，７３０２，７３０３，…７３０ｎを有し、これら各レコード７３０１〜７３０ｎ毎に、複写または振替処理される素材の区分を示す区分素材種別７３０１ＫＢ、転送元の掲載年月日面版面（紙名）７３０１ＦＲ、転送先の掲載年月日面版面（紙名）７３０１ＴＯをそれぞれ記録している。
【００４２】
この自動転送テーブル７３ａが作成された後は、この自動転送テーブル７３ａの先頭レコード７３０１から最後のレコード７３０ｎまで各レコードの記録に従って転送元の紙面の素材が転送先の他の紙面に順次複写され、または振り替えられる。
【００４３】
すなわち、Ｓ５では、Ｓ４における自動転送テーブル７３ａの作成後に、まず、自動転送テーブル７３ａの先頭（第１）レコード７３０１を自動転送（自動複写または振替）の対象として自動転送登録テーブル記録手段７３に記録し、読み出し、次のＳ６で、この第１レコード７３０１の転送元の掲載年月日版名（紙名）がコマンド入力された転送先の掲載年月日面版（紙名）と一致するか否か、すなわち、コマンド入力された転送（複写振替）先の紙面が自動転送テーブル７３ａに記録済みであるか否か判断し、ＮｏのときはＳ８へジャンプする一方、ＹｅｓのときはＳ７へ進む。
【００４４】
Ｓ７では、複写振替指示コマンドにより指示された紙面に搬入（入力）された紙面素材を自動転送登録テーブル７３ａの対象レコード（最初は第１レコード７３０１）の転送先の掲載年月日面版名（紙名）の紙面に転送して複写し、または振り替える。
【００４５】
次のＳ８では、このＳ７の自動転送が自動転送登録テーブルの全レコード、第１レコード７３０１から最後のレコード７３０ｎまで順次自動転送し、その転送先で区分種別に従って複写または振替の自動処理を実行したか否か判断し、Ｙｅｓのときは、Ｓ９でこの複写振替処理プログラムを終了（ＥＮＤ）する一方、ＮｏのときはＳ１０へ進む。
【００４６】
Ｓ１０では、自動転送登録テーブル７３ａの次の複写振替対象レコードの自動転送、すなわち自動複写振替処理を実行する。この後、再びＳ６に戻って自動転送登録テーブル７３の全部のレコード７３０１〜７３０ｎの自動転送を行なってからＳ９で終了する。
【００４７】
したがって、この複写振替処理手段７０によれば、組版端末４の手動操作により所要紙面の素材を他の紙面に複写し、または振り替える複写振替処理を実行し、その複写振替処理の自動化を設定することにより、その設定以後、その紙面に搬入される素材の自動転送、すなわち複写振替の自動処理を実行することができる。
【００４８】
図６は素材搬入処理手段７２の素材搬入処理プログラムのフローチャートを示しており、図中Ｓ２１〜Ｓ２７はフローチャートの各ステップを示している。
【００４９】
すなわち、素材搬入処理手段７２は、まずＳ２１で、紙面データファイル９に蓄積されている所要の紙面に、素材が搬入されたときに、その素材を、その搬入コマンドにより指示された掲載年月日面版の紙面に登録する。
【００５０】
次のＳ２２では、自動転送テーブル７３ａの各登録事項を先頭の第１レコード７３０１から最後のレコード７３０ｎまで、これらに記録されている複写振替処理を順次実行するために、まず先頭の第１レコード７３０１を自動転送の対象として読み出し、次のＳ２３で、この第１レコード７３０１の転送元の掲載年月日版名（紙名）が上記搬入コマンドにより指示された搬入先の掲載年月日版名（紙名）に一致するか否か、すなわち、コマンド入力された搬入先の紙面が自動転送テーブル７３ａに記録済みであるか否か判断し、ＮｏのときはＳ２５へジャンプする一方、ＹｅｓのときはＳ２４へ進む。
【００５１】
Ｓ２４では、この搬入素材を自動転送登録テーブル７３ａの対象レコード（最初は第１レコード７３０１）に記録されている転送先の掲載年月日版名の紙名面に転送し、複写または振替処理を実行する。
【００５２】
次のＳ２５では、この搬入素材について、自動転送テーブル７３の全レコード７３０１〜７３０ｎに記録されている自動転送、すなわち自動複写振替処理を実行しているか否かを判断し、Ｙｅｓであれば、Ｓ２６でこの素材搬入処理プログラムを終了する一方、ＮｏであればＳ２７へ進む。
【００５３】
Ｓ２７では自動転送テーブル７３ａの次のレコードの複写振替処理を読み出し、再び上記Ｓ２３へ戻って以下のステップを繰り返す。この繰返しにより、自動転送登録テーブル７３の全レコード７３０１〜７３０ｎに記録されている自動複写振替処理を実行したときに、上記したようにＳ２６でこのプログラムを終了する。
【００５４】
したがって、この素材搬入処理手段７２によれば、自動転送テーブル７３ａの作成後に、このテーブル７３ａに記録されている紙面に素材が搬入されると、この素材を、自動転送テーブル７３ａに記録されている複写振替処理の指示に従って自動的に複写振替処理することができる。このために、オペレータが組版端末４を手動操作して所要の紙面に搬入された記事や画像等の素材を他の紙面に複写し、または振り替えるという煩雑な手作業を省略することができ、これら搬入素材の複写振替処理の作業効率と精度を向上させることができる。
【００５５】
【発明の効果】
以上説明したように本発明は、所要の紙面の素材を他の紙面への複写振替指示を設定しておくことにより、その指示以後、その所要紙面に配分された全ての素材をその複写振替指示に従ってさらに他の紙面へ自動的に複写振替するので、運用上の作業性を向上させることができる。
【図面の簡単な説明】
【図１】本発明の第１の実施形態に係る新聞制作システムの要部の構成を示すブロック図。
【図２】図１で示す紙面データファイルに記録されている紙面データの構成例の一部を示す図。
【図３】図２で示す紙面データファイルの構成例の残部を示す図。
【図４】図１で示す自動転送登録テーブル記録手段に登録（記録）されている自動転送登録テーブルの構成例を示す図。
【図５】図１で示す素材複写振替処理手段の複写振替処理プログラムのフローチャート。
【図６】図１で示す素材搬入処理手段の複写振替処理プログラムのフローチャート。
【図７】従来の新聞制作システムの全体構成を示すブロック図。
【符号の説明】
１，１１  新聞制作システム
２  記事入力／校正端末
３  画像入力／加工端末
４  組版端末
５  記事サーバ
６  画像サーバ
７，７０  組版・編集サーバ
８  出力サーバ
９  紙面データファイル
１０  プリンタ／プロッタ
７１  素材複写振替処理手段
７２  素材搬入処理手段
７３  自動転送登録テーブル記録手段
７３ａ  自動転送登録テーブル
【図１】
0004064098.tif 000002
【図２】
0004064098.tif 000003
【図３】
0004064098.tif 000004
【図４】
0004064098.tif 000005
【図５】
0004064098.tif 000006
【図６】
0004064098.tif 000007
【図７】
0004064098.tif 000008